(57)【特許請求の範囲】
【請求項１】
固定バネ片と、該固定バネ片に対して臨設された可動バネ片と、開閉動作片にて該可動バネ片を該可動バネ片が臨んでいる固定バネ片に対して接触離隔動作させる駆動部とを備えた第１バネ台座と、該第１バネ台座を第２バネ台座に機械的に結合するための接続機構と、該接続機構に配置された接続部材とを含んでおり、該第２バネ台座は、固定バネ片と、該固定バネ片に対して臨設された可動バネ片と、開閉動作片にて該可動バネ片を該可動バネ片が臨んでいる固定バネ片に対して接触離隔動作させる駆動部とを備え、前記接続機構に関して前記第１バネ台座と鏡面対称に配置されるものであり、該接続機構は、絶縁性樹脂で形成されており、該第１バネ台座に差し込み接続可能であるとともに前記第２バネ台座に差し込み接続可能であり、前記接続部材は、該接続機構が該第１及び第２のバネ台座に差し込み接続された状態で該第１バネ台座の固定バネ片と該第２バネ台座の固定バネ片とを電気的に接続し、前記第１及び第２のバネ台座は前記接続機構を接続するための差込口を有しており、該接続機構は、該バネ台座の差込口に嵌合接続される突起を有しているとともに、前記第１バネ台座の固定バネ片及び可動バネ片と前記第２バネ台座の固定バネ片及び可動バネ片とを絶縁分離するための絶縁隔壁を有しており、前記接続機構は、前記第１バネ台座に設けられた前記差込口に嵌合される前記突起に隣り合う第１凹部を有しているとともに前記第２バネ台座に設けられた前記差込口に嵌合される前記突起に隣り合う第２凹部を有しており、該第１凹部に前記第１バネ台座の固定バネ片が差し込まれ、該第２凹部に前記第２バネ台座の固定バネ片が差し込まれることを特徴とするリレー。
【請求項２】
第１及び第２のバネ台座と、該第１及び第２のバネ台座を機械的に結合するための接続機構と、該接続機構に配置された接続部材とを含んでおり、該第１及び第２のバネ台座は、それぞれ、固定バネ片と、該固定バネ片に対して臨設された可動バネ片と、開閉動作片にて該可動バネ片を該可動バネ片が臨んでいる固定バネ片に対して接触離隔動作させる駆動部とを備えており、該第２バネ台座は前記接続機構に関して前記第１バネ台座と鏡面対称に配置されており、該接続機構は、絶縁性樹脂で形成されており、該第１バネ台座に差し込み接続可能であるとともに該第２バネ台座に差し込み接続可能であり、前記接続部材は、該接続機構が該第１及び第２のバネ台座に差し込み接続された状態で該第１バネ台座の固定バネ片と該第２バネ台座の固定バネ片とを電気的に接続し、前記第１及び第２のバネ台座は前記接続機構を接続するための差込口を有しており、該接続機構は、該バネ台座の差込口に嵌合接続される突起を有しているとともに、前記第１バネ台座の固定バネ片及び可動バネ片と前記第２バネ台座の固定バネ片及び可動バネ片とを絶縁分離するための絶縁隔壁を有しており、前記接続機構は、前記第１バネ台座に設けられた前記差込口に嵌合される前記突起に隣り合う第１凹部を有しているとともに前記第２バネ台座に設けられた前記差込口に嵌合される前記突起に隣り合う第２凹部を有しており、該第１凹部に前記第１バネ台座の固定バネ片が差し込まれ、該第２凹部に前記第２バネ台座の固定バネ片が差し込まれることを特徴とするリレー。
【請求項３】
前記第１及び第２のバネ台座は、それぞれ、前記固定バネ片を該バネ台座に押し込み固定するためのスリットを有しており、該固定バネ片は該スリットに押し込み固定されることでバネ台座に固定される請求項１又は２記載のリレー。
【請求項４】
前記第１バネ台座の固定バネ片及び前記第２バネ台座の固定バネ片は該両固定バネ片を電気的に接続する前記接続部材に予め接続されていて、それら固定バネ片と接続部材とで結合バネ片が形成されており、該結合バネ片の第１バネ台座の固定バネ片の部分が前記接続機構の前記第１凹部に差し込まれ、第２バネ台座の固定バネ片の部分が該接続機構の前記第２凹部に差し込まれるとともに該接続部材の部分が該接続機構に配置されることで、該第１バネ台座の固定バネ片の部分が該接続機構の前記隔壁の片側に位置するとともに該第２バネ台座の固定バネ片の部分が該隔壁の反対側に位置しており、該接続機構の第１バネ台座側の前記突起を前記第１バネ台座の差込口に嵌合接続することで、該第１バネ台座の固定バネ片の部分が該第１バネ台座に固定配置され、該接続機構の第２バネ台座側の前記突起を前記第２バネ台座の差込口に嵌合接続することで、該第２バネ台座の固定バネ片の部分が該第２バネ台座に固定配置される請求項１又は２記載のリレー。
【請求項５】
前記第１及び第２のバネ台座は、それぞれ、前記結合バネ片の固定バネ片の部分を押し込み固定する、前記差込口に隣り合うスリットを有しており、前記接続機構の前記突起をバネ台座の前記差込口に嵌合接続することで、該結合バネ片の固定バネ片の部分が該バネ台座のスリットに押し込み固定される請求項４記載のリレー。
【請求項６】
前記接続機構は、前記第１及び第２のバネ台座に離脱可能に接続される請求項１から５のいずれか１項に記載のリレー。
【請求項７】
前記接続機構は、前記第１及び第２のバネ台座に固定接続される請求項１から５のいずれか１項に記載のリレー。
【請求項８】
前記固定バネ片と該固定バネ片に臨む前記可動バネ片は９０度の角度をなして対向している請求項１から７のいずれか１項に記載のリレー。
【発明の詳細な説明】
【０００１】
【発明の属する技術分野】
本発明はリレーに関する。
【０００２】
【従来の技術及び発明が解決しようとする課題】
一連のリレーを組み合わせて、リレー作用を２重にして２連リレーにし、あるいはリレー作用を３重にして３連のリレーにするという必要がある。
【０００３】
そのようなリレーに要求されることは何よりも動作の確実性である。例えば接点が溶着したり破断したりしたという故障が起こった場合、予備の接点があって、接点開閉動作を移行するようにするということが望まれる。
【０００４】
もう一つの要求は、できるだけ狭い空間にできるだけ余分の容器部材を使わず、できるだけ多数のリレー接点を収容できるということである。さらに一連リレーから２連リレーを作製したときに、電気的接続のために別異の部品を追加しなくても良いということが望まれる。例えば、２連リレーにおいて、全ての固定バネ片が同時に他のバネ台座との接続に使えるということが望ましい。しかしそのために、リレー基板上に余分な開閉装置を設けるのではなく、固定バネ片同士を直接に接続するべきである。
【０００５】
冒頭に述べた事の他に、本発明は余分な容器を用いる事なく、一連リレーを組み合わせて、２連リレー、３連リレーを作製できるようにするという目的をも持っている。
【０００６】
【課題を解決するための手段】
そのような課題を解決するため本発明は、
固定バネ片と、該固定バネ片に対して臨設された可動バネ片と、開閉動作片にて該可動バネ片を該可動バネ片が臨んでいる固定バネ片に対して接触離隔動作させる駆動部とを備えた第１バネ台座と、該第１バネ台座を第２バネ台座に機械的に結合するための接続機構と、該接続機構に配置された接続部材とを含んでおり、該第２バネ台座は、固定バネ片と、該固定バネ片に対して臨設された可動バネ片と、開閉動作片にて該可動バネ片を該可動バネ片が臨んでいる固定バネ片に対して接触離隔動作させる駆動部とを備え、前記接続機構に関して前記第１バネ台座と鏡面対称に配置されるものであり、該接続機構は、絶縁物質で形成されており、該第１バネ台座に差し込み接続可能であるとともに前記第２バネ台座に差し込み接続可能であり、前記接続部材は、該接続機構が該第１及び第２のバネ台座に差し込み接続された状態で該第１バネ台座の固定バネ片と該第２バネ台座の固定バネ片とを電気的に接続するリレーを提供する。
【０００７】
本発明の第１の特徴は、複数のバネ台座を機械的に結合するために、接続機構を用いるということである。複数の一連リレーが接続機構によって迅速に結合され、複数連のリレー、例えば２連、３連のリレーになる。
【０００８】
接続機構によって、複数のバネ台座を迅速に機械的に結合できることは、本発明の特徴として挙げることができる。
【０００９】
本発明のさらなる特徴は、複数のバネ台座の機械的結合のための接続機構は同時に電気的接続手段を含むようにしてある。だからバネ台座の外側に伸びる電気接続のための容器のようなもの（例えば、両側のバネ台座から突出するプラグ（ピン）によって接続されるパターンをもつ容器）が不要になる。本発明においては、接続機構の機械的結合によってバネ台座間の電気的接続もなされる。
【００１０】
本発明のより好ましい例においては、相互に結合された二つのバネ台座を、固定バネ片によって電気的に接続するようにしている。その目的のために、両側のバネ台座に孤立した固定バネ片ではなくて、両側のバネ台座にまたがる結合バネ片を設ける。この結合バネ片は、二つの固定バネ片と、固定バネ片を電気的に結合する良導体よりなる接続部材とよりなる。
【００１１】
そのような電気的接続手段の第１の利点は、それが接続機構に結合されているということである。だから接続機構も電気的接続手段によってバネ台座に結合されるということになる。結合バネ片の一方の固定バネ片は、一方のバネ台座の固定バネ片と同じものとし、他方の固定バネ片は他方のバネ台座の固定バネ片と同じものとする。結合バネ片の二つの固定バネ片は、接続部材によって結合されるから、両側のバネ台座の固定バネ片の電位が等しくなる。
ここで与えた可動バネ片、固定バネ片の定義は、本発明の範囲を限定するものではない。
【００１２】
ある好適な実施例においては、接続機構とバネ台座は結合可能で再離脱可能である。
【００１３】
またある好適な実施例においては、接続機構とバネ台座は堅固に接合され再び分解できないようにしている。例えば、接着剤、溶接、その他の流動接合剤を用いて接続機構とバネ台座を接着することができる。
【００１４】
その他の構造上の特徴としては、可動バネ片と固定バネ片が９０度の角度をなすようにする、ということである。
【００１５】
両方のバネ台座を電気的に絶縁するために、接続機構を絶縁物質によって作製し接触子が並ぶ方向に伸びる一以上の隔壁を有するようにすればよい。その隔壁の両側には、両側に結合するバネ台座の差込口に嵌合するような突起を設けるようにする。
【００１６】
接続機構隔壁の両側の突起の間には、固定バネ片が挿入される凹部を設ける。両側のバネ台座の差込口へ接続機構の突起を差し込むと、固定バネ片が端面方向に開口したスリットへ押し込まれる。
【００１７】
本発明の特徴は個々のクレームに表現されたものに限定されず、個々のクレームの結合によって表現されるものをも含む。
【００１８】
発明の詳細な説明、要約書、空間的な物体を表現する図面に記載された課題と特徴は、それが新規である限りにおいて、それぞれ個々に、あるいはそれらが集合して、本発明の本質を構成する。
【００１９】
【発明の実施の形態】
実施例を示す図面によって、以下に本発明をより詳しく説明する。その他の本発明の特質や長所は図面や説明によって明らかになるであろう。
【００２０】
一連リレーは、駆動部５を有するバネ台座１からなる。バネ台座１には開閉動作片４によって開閉動作する可動バネ片２が設けられる。バネ台座１はそれぞれ一つの固定バネ片３を有する。複数対の可動バネ片２、固定バネ片３よりなるスイッチ機構は、隔壁１２によって離隔され、機構列方向２５に並んでいる。
【００２１】
全ての固定バネ片３は、バネ台座に固定された枕１１に接触している。駆動部５は下側へ伸びるプラグ６に接続され、可動バネ片２、固定バネ片３は下側へ伸びるプラグ７に接続される。
【００２２】
接続機構１４に設けられた突起１６が嵌合するための前端面が開口した差込口８がバネ台座１の前端にある。バネ台座１の差込口８の丁度中間にはスリット９がある。固定バネ片３が前端側からスリット９へ押し込まれ、ここに固定される。スリット９は上下方向にそって左右に彎曲した凹部１０を有する。スリットの彎曲凹部１０が固定バネ片３をスリット９中へ都合良く安定に保持する。
図１の一連リレーは、接続機構１４によって相互接続することによって、図２〜図４に示す２連リレーに組み立てることができる。接続機構１４は樹脂でできており、中間にバネ台座１、１３と同一高さの隔壁１５を有する。隔壁１５の左右両側には複数の突起１６が並列に形成されている。突起１６は、結合すべきバネ台座１、１３の並列に設けられた差込口８に嵌合するものである。
【００２３】
隔壁１５の下方にはＴ型の横継ぎ手２０が形成されている。横継ぎ手２０の下には支持リブ１７が設けられる。図３の結合状態図において、バネ台座１、１３の一方が開口している嵌合穴１９へＴ型横継ぎ手２０が嵌合している。嵌合穴１９に対し嵌合片１８が継ぎ手２０を抜け止めする。この嵌合が、バネ台座１、１３の安定した機械的結合を実現している。
【００２４】
それに加えて、接続機構１４と両側のバネ台座１、１３を、接着剤によって接着することもできる。接着剤は嵌合部や接触部分を強固に接合する。
【００２５】
隔壁１５の両端面にはスペーサ２４があって差込口８の前端位置を決める。両側のバネ台座１、１３の差込口８の前端が、スペーサ２４に接触する。
【００２６】
バネ台座１、１３はそのように、接続機構１４によって機械的に結合される。機械的結合だけでなくてバネ台座１、１３は電気的にも接続されなければならない。本発明はバネ台座の電気的接続のために、図４に示すような結合バネ片２１を用いる。結合バネ片２１は、これまで固定バネ片３と呼んでいた部材二つを、導体である接続部材２２によって結合したものである。
【００２７】
接続機構１４の下側から上向きに矢印２６の方向に結合バネ片２１を押し込み、突起１６の間の凹部２３へ接続部材が嵌まり込むようにする。
【００２８】
次に、右側のバネ台座１を矢印２７の示す方向に、接続機構１４に押し付ける。すると、右側バネ台座１のスリット９に右側の固定バネ片３が差し込まれ、同時に接続機構１４の突起１６が右側バネ台座１の差込口８へ嵌まり込む。
【００２９】
同じようにして、左側のバネ台座１３を接続機構１４に結合する。
【００３０】
このようにして、両側のバネ台座１、１３は接続機構１４によって機械的結合されるだけでなく、固定バネ片３、３を電気的に接続することによって、電気的にも相互に接続されたことになる、という事が分かる。だから、本発明は二つのバネ台座を接合するための余分な容器を節減することができる。プラグ７を固定バネ片に結合して、ここでは述べていない基板に接続する、ということはもはや必要ではない。
【図面の簡単な説明】
【図１】  一連リレーの斜視図である。
【図２】  一連リレー二つを、接続機構によって接続する直前の状態を示す斜視図である。
【図３】  二つの一連リレーを結合した２連リレーの結合状態斜視図である。
【図４】  結合バネ片、バネ台座を切り離した状態の２連リレー分解斜視図である。
【符号の説明】
１．バネ台座
２．可動バネ片
３．固定バネ片
４．開閉動作片
５．駆動部
６．プラグ
７．プラグ
８．差込口
９．スリット
１０．凹部
１１．枕
１２．隔壁
１３．台座
１４．接続機構
１５．隔壁
１６．突起
１７．支持リブ
１８．嵌合片
１９．嵌合穴
２０．横継ぎ手
２１．結合バネ片
２２．接続部材
２３．凹部
２４．スペーサ
２５．列方向
２６．矢印
２７．矢印
【図１】
0003888605.tif 000002
【図２】
0003888605.tif 000003
【図３】
0003888605.tif 000004
【図４】
0003888605.tif 000005